(57)【要約】セルラー通信システム（１００）用の通知装置（２０１）。
2008538677.tif 000002
【特許請求の範囲】
【請求項１】
セルラー通信システム用の通知装置であって、
第１の加入者の関与する通信の通信開始を検出するための検出手段と、
第１の加入者に対し通信通知要件が設定されているか否かを判定し、第１の加入者に対し通信通知要件が設定されている場合、第１の加入者と通信通知要件とに関連した第２の加入者を判定し、かつ、通信開始の表示を含む通知メッセージを第２の加入者へ送信するための通知手段と、からなる通知装置。
【請求項２】
検出手段は第１の加入者の関与する通信における第３の加入者による通信開始を検出するように構成されている請求項１に記載の通知装置。
【請求項３】
検出手段は前記通信の通信種類を判定するように構成されていることと、通知手段は通信種類に応じて第２の通知メッセージを送信するように構成されていることと、を含む請求項１に記載の通知装置。
【請求項４】
通知手段は通信種類に応じて通知メッセージに通信種類の表示を含めるように構成されている請求項３に記載の通知装置。
【請求項５】
通信に関与する第３の加入者を判定するための手段と、通知手段は第３の加入者に応じて通知メッセージを送信するように構成されていることと、を含む請求項１に記載の通知装置。
【請求項６】
通知手段は通知メッセージに第３の加入者の表示を含めるように構成されている請求項５に記載の通知装置。
【請求項７】
通知手段は第３の加入者の何らかの識別情報についての通知メッセージのみを送信するように構成されている請求項５に記載の通知装置。
【請求項８】
通知手段は通信の通信終了を検出し、通信終了の検出に応じて第２の通知メッセージを送信するように構成されている請求項１に記載の通知装置。
【請求項９】
通知手段は通知メッセージに第１の加入者の位置を含めるように構成されている請求項１に記載の通知装置。
【請求項１０】
セルラー通信システム用の通知方法であって、
第１の加入者の関与する通信の通信開始を検出する工程と、
第１の加入者に対し通信通知要件が設定されているか否かを判定する工程と、
第１の加入者に対し通信通知要件が設定されている場合、第１の加入者と通信通知要件とに関連した第２の加入者を判定する工程と、
通信開始の表示を含む通知メッセージを第２の加入者へ送信する工程と、からなる方法。
【発明の詳細な説明】
【技術分野】
【０００１】
本発明はセルラー通信システムにおける通知用の方法および装置に関する。詳細には、本発明は加入者に対する通信開始の通知に関する。
【背景技術】
【０００２】
近年、一般消費者には過剰な新たな通信サービスが利用可能となっており、これによって、多くの人々の通信挙動および習慣に変化が生じている。特に、若い世代は迅速かつ熱心に新たな通信の手段を取り込み、結果的に、特にこのグループのユーザにおいて、挙動および対話が相当に変化している。
【０００３】
例えば、文字ベースのメッセージ（例えば、ショートメッセージサービス；Ｓｈｏｒｔ  Ｍｅｓｓａｇｉｎｇ  Ｓｅｒｖｉｃｅ）またはマルチメディアベースのメッセージ（例えば、マルチメディアメッセージサービス；Ｍｕｌｔｉｍｅｄｉａ  Ｍｅｓｓａｇｉｎｇ  Ｓｅｒｖｉｃｅ）などのメッセージサービスを含む、例えば、音声ベースまたは文字ベースの通信を用いて、セルラー通信システムの移動局を通じて他のユーザと対話を行うことが一般的となっている。
【０００４】
これらの多くの新たな通信サービスおよびオプションの結果、人々のより大きなグループと連絡を取ることは、より容易となっている。さらに、多くの通信サービスでは、通信者の識別情報が、部分的または完全に匿名の場合がある。例えば、匿名のウェブベースのチャットアプリケーションは、多くのサークルにおいて非常に一般的なものとなっており、特に若い世代では一般的なものとなっている。
【０００５】
しかしながら、これによって、脆弱な個人が望ましくない人物および環境と接触するという不安も増大し、危険も増大している。
特に、親は自身の子の通信活動の結果について心配する傾向にある。例えば、多くの親は自身の子が通信を行っている人物について心配する傾向にあり、従来の人間的かつ地域的な環境から次第に電子的かつ非地域的な環境へと通信挙動が変化するにつれ、子を監視および制御すること、したがって子を保護することが次第に困難となるので、この懸念は相当に増大している。
【発明の開示】
【発明が解決しようとする課題】
【０００６】
したがって、改良された通信環境が提供されるならば有利である。詳細には、改良されたセキュリティ、通信を監視および制御する改良された手段、ならびに低い複雑性のうちの１つ以上、もしくは改良された性能およびユーザサービスのうちの１つ以上、またはその両方を可能とするセルラー通信システム用のシステムは有利である。
【課題を解決するための手段】
【０００７】
したがって、本発明は、単独で、もしくは任意の組み合わせによって、上述の不利のうちの１つ以上を、好適には軽減、緩和、または除去するものである。
本発明の第１の態様では、セルラー通信システム用の通知装置が提供される。この装置は、第１の加入者の関与する通信の通信開始を検出するための検出手段と、第１の加入者に対し通信通知要件が設定されているか否かを判定し、第１の加入者に対し通信通知要件が設定されている場合、第１の加入者と通信通知要件とに関連した第２の加入者を判定し、かつ、通信開始の表示を含む通知メッセージを第２の加入者へ送信するための通知手段と、からなる。
【０００８】
本発明では、セルラー通信システムの技術的特徴を利用して第１の加入者の通信挙動を第２の加入者へ通知する。例えば、親には、子による通話または子に対する通話に関して通知が行われる。このシステムによって、通信の一の加入者による別の加入者の改良された監視、また結果的に制御が可能となる。改良されたユーザサービスが提供され、詳細には、より安全な電子通信環境が得られる。
【０００９】
この検出手段、通知手段、またはその両方は、例えば、１つ以上の処理要素において実装される。第１の加入者は第１のリモート端末と考えられ、例えば、セルラー通信システムにおける第１の加入者識別情報に相当すると考えられる。詳細には、第１の加入者は、リモート端末識別情報、または加入者識別モジュールの識別情報（例えば、電話番号）などリモート端末のユーザに関連した識別情報と等しくてよい。加入者はセルラー通信システムの任意のユーザであってよい。用語「加入者」は、ユーザと等しいと考えられる。
【００１０】
通知メッセージは異なる通信サービスを用いて送信されてよく、セルラー通信システム以外の通信システムを用いて送信されてもよい。
本発明の随意の特徴では、検出手段は第１の加入者による通信開始を検出するように構成されている。
【００１１】
通信開始は、第１の加入者によって開始される発信通話など、通信設定であってよい。これによって、第１の加入者により開始される通信について第２の加入者に効率的に通知することが可能となる。
【００１２】
本発明の随意の特徴では、検出手段は第１の加入者の関与する通信における第３の加入者による通信開始を検出するように構成されている。
通信開始は、第１の加入者以外の別の加入者によって開始される通信設定であってよい。例えば、この通信は、第１の加入者に対する着信通話であってよい。これによって、別の加入者により開始される第１の加入者の関与する通信について、第２の加入者に効率的に通知することが可能となる。
【００１３】
本発明の随意の特徴では、検出手段はさらに通信の通信種類を判定するように構成されており、通知手段は通信種類に応じて第２の通知メッセージを送信するように構成されている。
【００１４】
これによって、改良されたユーザサービスが可能となり、詳細には、異なる通信種類に対して変化する段階的な通知が可能となる。例えば、データ通信、音声通信、およびメッセージ通信に対し、異なる通知メッセージが送信されてよい。これによって、第１の加入者の通信挙動および環境について、強化された情報が提供される。
【００１５】
本発明の随意の特徴では、通知手段は通知メッセージに通信種類の表示を含めるように構成されている。これによって、改良されたユーザサービスが可能となり、詳細には、第１の加入者の通信挙動および環境について、強化された情報が提供される。例えば、通知メッセージは、通信がデータ通信、音声通信、およびメッセージ通信のいずれであるかを示す情報を含む。
【００１６】
本発明の随意の特徴では、通知手段は何らかの通信種類についての通知メッセージのみを送信するように構成されている。これによって、改良された通知システムが可能となり、詳細には、特定の関心の通信種類を通知の目標とする通知システムが可能となる。これによって、改良されたユーザ経験およびカスタマイズされた通知が可能となる。
【００１７】
本発明の随意の特徴では、通知装置は、通信に関与する第３の加入者を判定するための手段をさらに備え、通知手段は第３の加入者に応じて通知メッセージを送信するように構成されている。
【００１８】
これによって、改良されたユーザサービスが可能となり、詳細には、通信に関与する他の者を考慮に入れる通知が可能となる。例えば、通信に他のどの者が関与しているかに応じて、異なる通知メッセージが送信されてよい。これによって、第１の加入者の通信挙動および環境の強化された情報が提供される。
【００１９】
本発明の随意の特徴では、通知手段は通知メッセージに第３の加入者の表示を含めるように構成されている。これによって、改良されたユーザサービスが可能となり、詳細には、第１の加入者の通信挙動および環境について、強化された情報が提供される。例えば、通知メッセージは、他のいずれの者が通信に関与するかを示す情報を含む。この表示は、例えば、第３の加入者の加入者識別情報であってよい。
【００２０】
本発明の随意の特徴では、通知手段は第３の加入者の何らかの識別情報についての通知メッセージのみを送信するように構成されている。これによって、改良された通知システムが可能となり、詳細には、改良されたユーザ経験およびカスタマイズされた通知が可能となる。例えば、通知は、望ましくない者または未知の他の者の関与する通信に限定されてよい。
【００２１】
本発明の随意の特徴では、通知メッセージはＳＭＳ（Ｓｈｏｒｔ  Ｍｅｓｓａｇｉｎｇ  Ｓｅｒｖｉｃｅ）のメッセージである。これによって、実用的かつユーザフレンドリーな特に有利な通知メッセージが提供され、多くのセルラー通信システムにおける採用および実装は容易となる。ＳＭＳメッセージは、ＧＳＭまたはＵＭＴＳのセルラー通信システムのＳＭＳメッセージであってよい。
【００２２】
本発明の随意の特徴では、通信はユーザメッセージ通信である。
本発明によって、メッセージ通信用の実用的かつ有利な通知システムが可能となる。このユーザメッセージ通信は、例えば、文字メッセージ（例えば、ＳＭＳ（Ｓｈｏｒｔ  Ｍｅｓｓａｇｉｎｇ  Ｓｅｒｖｉｃｅ）のメッセージ）または視聴覚メッセージ（例えば、ＭＭＳ（Ｍｕｌｔｉｍｅｄｉａ  Ｍｅｓｓａｇｉｎｇ  Ｓｅｒｖｉｃｅ）のメッセージ）など、第１の加入者に対する着信または発信のメッセージであってよい。
【００２３】
本発明の随意の特徴では、通信はオーディオ通話である。本発明によって、オーディオ通話用の実用的かつ有利な通知システムが可能となる。オーディオ通話は、例えば、セルラー通信システムの従来の電話の通話などの音声通話など、第１の加入者に対する着信または発信の通話であってよい。
【００２４】
本発明の随意の特徴では、通信はデータ通信である。本発明によって、データ通信用の実用的かつ有利な通知システムが可能となる。データ通信は、第１の加入者に対する着信、発信、またはその両方のデータ通信であってよい。データ通信は、詳細には、データパケットセッションであり、通信開始は、パケットデータセッションの設定など、データパケットサービスの開始であってよい。
【００２５】
本発明の随意の特徴では、通知手段は通信の通信終了を検出し、通信終了の検出に応じて第２の通知メッセージを送信するように構成されている。これによって、改良された通知および追加のユーザ情報が提供される。
【００２６】
本発明の随意の特徴では、通知手段は通知メッセージに第１の加入者の位置を含めるように構成されている。これによって、改良された通知および追加のユーザ情報が提供される。詳細には、第２の加入者が第１の加入者の位置によって通信開始を調整することが可能となる。
【００２７】
本発明の随意の特徴では、通知装置はセルラー通信システムの固定ネットワークに含まれる。これによって、効率的な性能、容易な実装、改良された後方互換性、またはその１つ以上が提供される。例えば、セルラー通信システムのリモートユニットに対する修正を必要とすることなく、通知システムを実装することが可能となる。
【００２８】
本発明の随意の特徴では、通知装置はセルラー通信システムのリモートユニットに含まれる。これによって、効率的な性能、容易な実装、改良された後方互換性、またはその１つ以上が提供される。例えば、セルラー通信システムの固定ネットワークに対する修正を必要とすることなく、通知システムを実装することが可能となる。例えば、通知装置は第１の加入者のリモートユニットに組み込まれ、セルラー通信システムの従来の通信サービスを用いて第２の加入者のリモート端末に通知メッセージを送信する。
【００２９】
本発明の第２の態様では、セルラー通信システム用の通知方法が提供される。この方法は、第１の加入者の関与する通信の通信開始を検出する工程と、第１の加入者に対し通信通知要件が設定されているか否かを判定する工程と、第１の加入者に対し通信通知要件が設定されている場合、第１の加入者と通信通知要件とに関連した第２の加入者を判定し、通信開始の表示を含む通知メッセージを第２の加入者へ送信する工程と、からなる。
【発明を実施するための最良の形態】
【００３０】
以下の記載では、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）セルラー通信システムに適用可能な本発明の実施形態に焦点が置かれているが、本発明がこの用途に限定されず、例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ  ｓｙｓｔｅｍ）セルラー通信システムを含む、他の多くのセルラー通信システムに適用されてよいことが認識される。
【００３１】
図１には、本発明の実施形態を用いることのできるセルラー通信システム１００の例を示す。
セルラー通信システムでは、地理的領域は、基地局によって各々サービス提供される複数のセルに分割されている。基地局は、基地局間でデータの通信を行うことの可能な固定ネットワークによって相互接続されている。移動局は、移動局の位置しているセルの基地局によって、無線通信リンクを介してサービス提供される。
【００３２】
移動局は、移動するとき、１つの基地局のカバレッジから別の基地局のカバレッジまで、すなわち、１つのセルから別のセルまで移動する場合がある。移動局は基地局に向かって移動するにつれ、２つの基地局のカバレッジの重なる領域に入り、この重なる領域内にて新たな基地局にサポートされるように変化する。移動局は、新たなセルの中へさらに移動するとき、この新たな基地局にサポートされ続ける。これは、セル間での移動局のハンドオーバまたはハンドオフとして知られている。
【００３３】
典型的なセルラー通信システムは、典型的には全国にカバレッジを広げており、何百または何千ものセルを含み、何千または何百万もの移動局をサポートする。移動局から基地局への通信はアップリンクとして知られており、基地局から移動局への通信はダウンリンクとして知られている。
【００３４】
図１の例では、第１のリモートユニット１０１および第２のリモートユニット１０３は、第１の基地局１０５によってサポートされる第１のセルに存在する。リモートユニットは、例えば、ユーザ機器（ＵＥ）、移動局、通信端末、携帯情報端末、ラップトップコンピュータ、組込型通信プロセッサ、またはセルラー通信システムのエアインタフェースを通じて通信を行う任意の通信要素であってよい。
【００３５】
第１の基地局１０５は、第１のＲＮＣ  １０７に結合されている。ＲＮＣは、無線資源管理および適切な基地局間のデータのルーティングを含む、エアインタフェースに関連する制御機能の多くを実行する。
【００３６】
第１のＲＮＣ  １０７は、コアネットワーク１０９に結合されている。コアネットワークはＲＮＣを相互接続するとともに、任意の２つのＲＮＣ間でデータのルーティングを行うように動作可能であり、これによって、１つのセルのリモートユニットが任意の他のセルのリモートユニットと通信を行うことを可能とする。加えて、コアネットワークは、公衆交換電話網（ＰＳＴＮ）などの外部ネットワークへ相互接続するためのゲートウェイ機能を含み、これによって、移動局が地上通信線電話および地上通信線によって接続されている他の通信端末と通信を行うことを可能とする。さらに、コアネットワークは、データのルーティング、承認制御、リソース割当、加入者課金、移動局認証などのための機能を含む、従来のセルラー通信ネットワークを管理するために必要な機能の多くを含む。
【００３７】
コアネットワーク１０９は、さらに第２のＲＮＣ  １１１に結合されており、第２のＲＮＣ  １１１は第２の基地局１１３に結合されている。第２の基地局１１３は、第３のリモートユニット１１５をサポートする。
【００３８】
図１の特定の例では、第１のリモートユニット１０１と第２のリモートユニット１０３との間で通信が開始され、これに応じて、通知装置は第３のリモートユニット１１５へ送信される通知メッセージを生成する。
【００３９】
以下では、通知装置がＲＮＣに組み込まれている代表的な実施形態を記載する。
図２には、通知メッセージを生成するように構成されている通知装置２０１を図１の第１のＲＮＣ  １０７が含む例を示す。
【００４０】
この例では、第１のＲＮＣ  １０７は、コアネットワーク１０９へのインタフェースを行うコアネットワークインタフェース２０３と、第１の基地局１０５へのインタフェースを行う基地局インタフェース２０５とを備える。加えて、第１のＲＮＣ  １０７は通話コントローラ２０７を備える。通話コントローラ２０７は、コアネットワークインタフェース２０３および基地局インタフェース２０５に結合されている。通話コントローラ２０７は、当業者によって認識されるように、第１のＲＮＣ  １０７に結合されている基地局によってサービス提供されるすべての通話に対する資源管理を含む、通話制御を実行する。
【００４１】
通知装置２０１は通話検出器２０９を含む。通話コントローラ２０７は、第１のＲＮＣ  １０７によってサービス提供される基地局に対する管理および資源割当に関する情報を、通話検出器２０９へ転送する。
【００４２】
第１のＲＮＣ  １０７に付属した基地局のリモートユニットに対する新たな通話の設定に通話コントローラ２０７が関与するとき、通話検出器２０９は、通話コントローラ２０７によって提供される情報から、そのことを検出する。例えば、通話コントローラ２０７が以前に使用されていないリモートユニットにチャネル資源を割り当てる場合、これは通話設定として検出される。通話検出器２０９は、通話設定に関連する情報をさらに判定する。この情報には、詳細には、設定されている通話に関与する加入者、通信種類、通話に関与する基地局などに関する情報が含まれてよい。
【００４３】
一部の実施形態では、通話コントローラ２０７は、新たな通話検出器がいつ設定されるかを通話検出器２０９に直接通知することができる。この場合、通話コントローラ２０７は、例えば、関与するリモートユニット、したがって関与する加入者の識別情報を含め、通話設定に関する情報をさらに提供することができる。
【００４４】
設定されている通話は、例えば、第１のＲＮＣ  １０７にサポートされる基地局によりサービス提供されるリモートユニットによって開始される通話であってもよく、別のＲＮＣにサポートされるリモートユニットによって設定されているが第１のＲＮＣ  １０７にサポートされるリモートユニットの関与する通話であってもよい。換言すると、通話は、第１のＲＮＣ  １０７へ接続された基地局によってサービス提供されるリモートユニットに対する着信であっても発信であってもよい。
【００４５】
通話検出器２０９は通知プロセッサ２１１に結合されている。通話検出器２０９は、新たな通話が開始されていることを検出するとき、通知プロセッサ２１１に対する通話の設定に関する情報を提供する。通知プロセッサ２１１は、さらに通知要件記憶装置２１３に結合されている。
【００４６】
通知要件記憶装置２１３は、通知メッセージの生成される必要がある加入者の一覧を含む。加入者の各々に対し、通知要件記憶装置２１３は、通知メッセージの送信される加入者の表示をさらに含む。通知要件記憶装置２１３は、いずれの通信チャンネルが用いられるか、どんな情報が含まれるか、またはその両方など、送信される通知メッセージの特性を示す情報をさらに含んでよい。
【００４７】
任意の適切な手段によって、また任意の適切な時に、通知要件記憶装置２１３に情報が入力されてよいことが認識される。例えば、新たなＲＮＣによってサービス提供される新たな基地局にリモート端末が付属するとき、ＲＮＣは、ＨＬＲ（Ｈｏｍｅ  Ｌｏｃａｔｉｏｎ  Ｒｅｇｉｓｔｅｒ）またはＶＬＲ（Ｖｉｓｉｔｏｒ  Ｌｏｃａｔｉｏｎ  Ｒｅｇｉｓｔｅｒ）へメッセージを送信する。これに応じて、ＨＬＲまたはＶＬＲは、このリモートユニットに対する通話設定のために通知が送信される必要があるか否かについての情報を、第１のＲＮＣ  １０７にダウンロードしてよく、この情報は通知要件記憶装置２１３に格納されてよい。この情報は、例えば、セルラー通信システムのオペレータによってＨＬＲへ手動で入力される（また、ＨＬＲからＶＬＲへダウンロードされる）。
【００４８】
この特定の例では、通知要件記憶装置２１３は、第１のリモートユニット１０１に対するエントリを含む。このエントリは、通話が第１のリモートユニット１０１に対する設定であるとき、第３のリモートユニット１１５へ通知メッセージが送信される必要があることを示す。したがって、通話検出器２０９が第１のリモートユニット１０１の関与する通話設定を検出する場合には、通知プロセッサ２１１は、第１のリモートユニット１０１が通話設定に関与しているという情報を受信する。これに応じて、通知プロセッサ２１１は通知要件記憶装置２１３を検索し、第１のリモートユニット１０１に対するエントリを識別し、第３のリモートユニット１１５へ通知メッセージが送信される必要があるという情報を読み出す。
【００４９】
通知プロセッサ２１１は、通知メッセージ生成器２１５に結合されている。通知プロセッサ２１１は、通知メッセージが送信される必要があると判定するとき、通知メッセージ生成器２１５に適切な情報を供給し、詳細には、通知メッセージ生成器２１５に宛先アドレスを提供する。加えて、通知プロセッサ２１１は、使用する通信チャンネル、またはどんな情報を含むかに関する情報など、通知メッセージに関連する他の情報を通知メッセージ生成器２１５に提供してもよい。
【００５０】
したがって、この特定の例では、通知プロセッサ２１１は、第１のリモートユニット１０１に対して設定されている通知要件が存在すると判定するとき、通知メッセージ生成器２１５に第３のリモートユニット１１５の識別を提供する。特定の例として、第１のリモートユニット１０１において通話が設定されるとき、第１のリモートユニット１０１の加入者識別モジュール（ＳＩＭ）の電話番号は、通知要件記憶装置２１３に格納された電話番号と比較される。一致（ｍａｔｃｈ）を検出すると、通知プロセッサ２１１は第３のリモートユニット１１５のＳＩＭの電話番号を読み出し、それを通知メッセージ生成器２１５に供給する。
【００５１】
通知メッセージ生成器２１５は通知メッセージを生成する。次いで、通知メッセージが通話コントローラ２０７へ供給され、通話コントローラ２０７はその通知メッセージを適切な宛先へ送信する。図２の特定の例では、通知メッセージ生成器２１５は、ＳＭＳメッセージなどの文字メッセージを生成し、それを第３のリモートユニット１１５へ宛てる。通話コントローラ２０７は、ＳＭＳメッセージの通信を行うための標準的な機能を用いて、第３のリモートユニット１１５へＳＭＳメッセージを転送する。
【００５２】
通知メッセージは任意の適切な情報を含んでよいことが認識される。例えば、一部の複雑性の低い実施形態では、通知メッセージ生成器２１５は、単に、通話が第１のリモートユニット１０１に対して開始されていることを述べる標準的なメッセージを生成する。
【００５３】
しかしながら、より複雑な他の実施形態では、通知メッセージは、設定されている通話に関するさらなる情報を含むことができる。例えば、通知プロセッサ２１１が、通話に関与する第２のリモートユニット１０３の情報を通知メッセージ生成器２１５に提供し、通知メッセージ生成器２１５が、この表示を通知メッセージに含めてよい。特定の例として、通知メッセージ生成器２１５は、第２のリモートユニット１０３の電話番号を文字列として通知メッセージに含めてよい。また、例えば、通知メッセージは、通話が第１のリモートユニット１０１に対する着信通話であるか発信通話であるかを示してよい。
【００５４】
通知メッセージを生じる通信開始は、異なる種類であってもよい。例えば、音声通話が設定され、これに応じて通知メッセージが生成される。別の例として、第１のリモートユニット１０１に対しデータ通話が設定され、このことが第３のリモートユニット１１５へ報告される。詳細には、パケットデータセッションが開始されていることを通話検出器２０９が検出し、これに応じて、通知装置２０１が第３のリモートユニット１１５へ通知メッセージを送信してもよい。さらに別の例として、ＳＭＳメッセージまたはＭＭＳメッセージなどのメッセージが第１のリモートユニット１０１との間で送信され、これが通話検出器２０９によって検出されて、通知メッセージが生成されてもよい。
【００５５】
一部の実施形態では、通知メッセージ生成器２１５には、現在の開始がいずれの通信種類に関連するかに関する情報が提供されてよい。例えば、通知メッセージ生成器２１５は、通信が音声通話、データセッション、またはメッセージのいずれであるかを示す文字列を含む。
【００５６】
一部の実施形態では、通知メッセージ生成器２１５は、第１のリモートユニット１０１、第２のリモートユニット１０３、またはその両方の位置を示す情報をさらに含むことができる。複雑性の低い実施形態では、通知メッセージ生成器２１５は、単に、第１のリモートユニット１０１の存在するセルの表示を含んでよい。この情報は、第１のＲＮＣ  １０７には常に利用可能であるため、容易に含められる。
【００５７】
しかしながら、より複雑な実施形態では、セルラー通信システムにおける位置決定用の任意の既知の方法を用いて、第１のリモートユニット１０１、第２のリモートユニット１０３、またはその両方の位置が高精度に決定される。例えば、第１のリモートユニット１０１は単に全地球測位システム（ＧＰＳ）受信器を備え、この情報によって第１のＲＮＣ  １０７を定期的に更新する。
【００５８】
したがって、第１のリモートユニット１０１の通信活動を示す非常に正確な情報が、第３のリモートユニット１１５に提供される。例えば、第１のリモートユニット１０１が子によって用いられ、第３のリモートユニット１１５がその子の親によって用いられる場合、通話が設定されるとき、親には、その子が呼び出している／呼び出されているのは誰か、通信種類、およびその子、他の者、またはその両方の位置に関する情報が自動的に提供される。
【００５９】
一部の実施形態では、通話検出器２０９は、さらに、通信が終了される時を判定することもできる。これに応じて、通知装置２０１は、通話が終了したことを示す第２の通信メッセージを生成してもよい。この第２の通知メッセージは、例えば、通話の継続時間など、追加の情報をさらに含んでもよい。次いで、第２の通知メッセージは第３のリモートユニット１１５へ送信される。
【００６０】
一部の実施形態では、第１のリモートユニット１０１に対する一部の通信設定のみが第３のリモートユニット１１５へ通知される。例えば、通知要件記憶装置２１３は、設定されている通信が第３のリモートユニット１１５へ通知される前に満たされる必要がある特定の特性を示す情報を含む。
【００６１】
例えば、通知要件記憶装置２１３は、音声通話だけが通知される、また結果的に、いかなるメッセージおよびデータ通信も通知されない、という第１のリモートユニット１０１に対する表示を含んでもよい。したがって、通知プロセッサ２１１は、設定されている通信の通信種類を比較し、通信種類が音声通話である場合にのみ通知メッセージ生成器２１５に指示を行ってもよい。
【００６２】
別の例として、通知要件記憶装置２１３は、指定された加入者との間の通信が通知される必要はないという、第１のリモートユニット１０１に対する表示を含んでもよい。したがって、通知プロセッサ２１１は、第２のリモートユニット１０３を通知要件記憶装置２１３に格納されたリモートユニット識別情報の一覧と比較し、一致が見出されない場合にのみ通知メッセージ生成器２１５に指示を行ってもよい。これによって、例えば、他の家族の者または明示的に識別された友人もしくは連絡先の関与する通話が親には通知されないような、信頼されたコミュニティをユーザが設定することが可能となる。
【００６３】
したがって、選択的な通知が設定され、より効率的かつ柔軟な通知サービスが提供される。
図２の例では、セルラー通信システムの固定ネットワークにおける実施形態に焦点が置かれた。このアプローチの利点は、通知機能が中心制御され、付加価値サービスとしてオペレータにより提供されることによって、収入の増大を可能とすることである。さらに、特定の実施形態では、リモートユニットに対する修正が不要であることによって、多くのシナリオにおける順次展開および後方互換が容易となる。
【００６４】
しかしながら、通知装置の機能について他の分配を用いてもよいことが認識される。例えば、図３には、本発明の一部の実施形態による通知装置３０１を含むリモートユニットの例を示す。リモートユニットは、詳細には図１の第１のリモートユニット１０１であってもよい。この例を参照してリモートユニットについて記載する。
【００６５】
第１のリモートユニット１０１はトランシーバ３０３を備える。トランシーバ３０３は、セルラー通信システム１００のエアインタフェースを通じて第１の基地局１０５と通信を行う。このトランシーバは、第１のリモートユニット１０１の通信活動を制御する通話コントローラ３０５に結合されている。当業者に知られているように、通話コントローラ３０５は、マイクロホン、ラウドスピーカー、キーパッド、およびディスプレイなどを備え得るユーザインタフェース３０７にさらに結合されている。
【００６６】
通話コントローラ３０５は、通知装置３０１の通話検出器３０９に結合されている。通話検出器３０９は、通話コントローラ３０５の動作を監視し、新たな通信が設定されているか否かを検出する。詳細には、通話検出器３０９は、発信通話が確立されているか否か、着信通話が受信されているか否かを検出する。
【００６７】
通話検出器３０９は通知プロセッサ３１１に結合されており、通知プロセッサ３１１はさらに、通知要件記憶装置３１３および通知メッセージ生成器３１５に結合されている。通知要件記憶装置３１３は、生成される通知メッセージにおいて満たされる必要がある基準を示す情報を含み、また、そのような通知メッセージにどんな情報が含まれるかを示す情報を含んでもよい。
【００６８】
しかしながら、図２の通知要件記憶装置２１３とは対照的に、通知要件記憶装置３１３は、第１のリモートユニット１０１に関連する情報しか含む必要はない。実際、一部の複雑性の低い実施形態では、通知装置は通知要件を含まなくてよく、第１のリモートユニット１０１は、新たな着信または発信の通話が検出される場合にのみ通知メッセージを生成する。したがって、一部の実施形態では、通話検出は本質的に第１のリモートユニット１０１に対するものであり、通知要件は本質的に通話検出によって判定される。同様に、さらなる評価を必要とせずに、所定の宛先として、通知メッセージが送信される第３のリモートユニット１１５が判定されてよい。
【００６９】
図３の例では、通話検出器３０９は、新たな通話を検出するとき、通知プロセッサ３１１に関連情報を供給する。通知プロセッサ３１１は、通知要件記憶装置３１３から必要な情報を読み出し、読み出した基準が現在の通信開始において満たされる場合、通知メッセージを生成するよう通知メッセージ生成器３１５に指示を行う。詳細には、通信が指定された種類であり、指定されたグループの他のリモートユニットが関与しない場合、通知プロセッサ３１１は、通知メッセージを生成するよう通知メッセージ生成器３１５に指示を行う。
【００７０】
通知メッセージ生成器３１５は通話コントローラ３０５に結合されている。通知メッセージは通話コントローラ３０５へ供給され、通話コントローラ３０５が第３のリモートユニット１１５へ通知メッセージを送信する。通知メッセージは、例えば、標準的なＳＭＳメッセージとして第３のリモートユニット１１５へ送信される、ＳＭＳメッセージとして生成される。
【００７１】
多くの実施形態では、リモートユニットに通知装置を実装することが有利な場合がある。例えば、個々の加入者が個々のプリファレンスに対する動作を容易にカスタマイズすることが可能となる。さらに、固定ネットワークにおける複雑性が減少され、固定ネットワークに対する修正が不要であるような容易な配備が多くのシナリオにおいて提供される。
【００７２】
上述の記載では、通知装置がＲＮＣまたはリモートユニットに実装されている実施形態に焦点が置かれていたが、機能について他の分配が適用可能であること、詳細には、リモートユニットと固定ネットワークとの間に機能が分散され得ることが認められる。例えば、リモートユニットは通話検出器を含んでよい。この通話検出器は、通信開始が検出されるとき、固定ネットワークにおいて通知プロセッサへメッセージを送信するので、通知メッセージが送信されるか否かを通知プロセッサが判定することができる。
【００７３】
図４には、本発明の一部の実施形態によるセルラー通信システム用の通知方法を示す。この方法は、図１，２，３の例に適用可能である。
この方法は工程４０１にて開始する。工程４０１にて、第１の加入者の関与する通信の通信開始が検出される。
【００７４】
工程４０１には工程４０３が続く。工程４０３にて、第１の加入者に対し通信通知要件が設定されているか否かが判定される。第１の加入者に対し通信通知要件が設定されていない場合、この方法は工程４０１へ戻り、第１の加入者に対し通信通知要件が設定されている場合、工程４０５へ進む。工程４０５にて、第１の加入者と通信通知要件とに関連した第２の加入者が判定される。
【００７５】
工程４０５には工程４０７が続く。工程４０７にて、通知メッセージは第２の加入者へ送信される。通知メッセージは、通信開始の表示を含み、詳細には、文字メッセージであってよい。
【００７６】
上述においては、明瞭性のため、異なる機能ユニットおよびプロセッサを参照して本発明の実施形態を記載していることが認められる。しかしながら、本発明を損なうことなく、異なる機能ユニットまたはプロセッサ間において、任意の適切な機能の分配が用いられ得ることは明らかである。例えば、別個のプロセッサまたはコントローラによって実行されるように示した機能は、同一のプロセッサまたはコントローラによって実行されてもよい。したがって、特定の機能ユニットに対する参照は、厳密な論理的もしくは物理的な構造または構成を表すのではなく、単に記載の機能を提供するために適切な手段への参照であると見なされる。
【００７７】
本発明は、ハードウェア、ソフトウェア、ファームウェア、またはこれらの任意の組み合わせを含む、任意の適切な形態により実装可能である。随意では、本発明は、少なくとも部分的には、１つ以上のデータプロセッサ、デジタル・シグナル・プロセッサ、またはその両方において作動するコンピュータソフトウェアとして実装される。本発明の実施形態の要素および構成要素は、任意の適切な手法により、物理的、機能的、または論理的に実装される。実際、機能は、単一のユニットに、複数のユニットに、または他の機能ユニットの一部として、実装される。そのため、本発明は単一のユニットに実装されてもよく、異なるユニットおよびプロセッサの間に物理的または機能的に分配され得る。
【図面の簡単な説明】
【００７８】
【図１】本発明の実施形態を用いることのできるセルラー通信システムの例を示す図。
【図２】本発明の一部の実施形態による通知装置を含む無線ネットワークコントローラの例を示す図。
【図３】本発明の一部の実施形態による通知装置を含むリモートユニットの例を示す図。
【図４】本発明の一部の実施形態によるセルラー通信システム用の通知方法を示す図。
【図１】
2008538677.tif 000003
【図２】
2008538677.tif 000004
【図３】
2008538677.tif 000005
【図４】
2008538677.tif 000006
【国際調査報告】
2008538677.tif 000007